(57)【要約】【課題】フィルムソース及びビデオソースの双方の映像信号に対して表示品質の向上を図ることができる映像信号変換装置を提供する。【解決手段】入力映像信号の種類及び信号供給源を判別する入力信号判別手段と、複数の信号供給源毎の映像信号の種類各々の動作モードを設定する動作モード設定手段とを有し、入力信号判別手段によって判別された入力映像信号の種類及び信号供給源に対応した動作モードを動作モード設定手段から得て、その得た動作モードに応じてフィルムソース判別手段、インターレース／プログレッシブ変換手段及びフレームレート変換手段のうちの少なくとも１の動作を制御する。【選択図】  図１
2005051389.tif 000002
【特許請求の範囲】
【請求項１】
入力映像信号を所定のフレームレートのプログレッシブ映像信号に変換する映像信号変換装置であって、
前記入力映像信号がフィルムに基づいたフィルムソースの映像信号であるか否かを判別するフィルムソース判別手段と、
前記入力映像信号がインターレース映像信号である場合には前記入力映像信号を前記フィルムソース判別手段による判別結果に応じた変換方法にて前記プログレッシブ映像信号に変換して出力し、前記入力映像信号がインターレース映像信号ではない場合には前記入力映像信号をそのまま出力するインターレース／プログレッシブ変換手段と、
前記インターレース／プログレッシブ変換手段の出力映像信号を前記フィルムソース判別手段による判別結果に応じて高フレームレートの映像信号に変換するフレームレート変換手段と、
前記入力映像信号の種類及び信号供給源を判別する入力信号判別手段と、
複数の信号供給源毎の映像信号の種類各々の動作モードを設定する動作モード設定手段と、
前記入力信号判別手段によって判別された前記入力映像信号の種類及び信号供給源に対応した動作モードを前記動作モード設定手段から得て、その得た動作モードに応じて前記フィルムソース判別手段、前記インターレース／プログレッシブ変換手段及び前記フレームレート変換手段のうちの少なくとも１の動作を制御する制御手段と、を備えたことを特徴とする映像信号変換装置。
【請求項２】
前記入力信号判別手段は、前記入力映像信号の垂直同期信号を検出する同期信号検出手段を含み、
前記インターレース／プログレッシブ変換手段は、前記入力映像信号の垂直同期信号に同期して前記プログレッシブ映像信号を出力することを特徴とする請求項１記載の映像信号変換装置。
【請求項３】
前記インターレース／プログレッシブ変換手段は、前記入力映像信号の垂直同期周波数が５０Ｈｚであるとき前記入力映像信号の２フィールド分で１フレーム分の前記プログレッシブ映像信号を形成してそのプログレッシブ映像信号を２回連続的に出力することを繰り返し、前記入力映像信号の垂直同期周波数が６０Ｈｚであるとき前記入力映像信号の５フィールド分の最初の２フィールド分で１フレーム分の前記プログレッシブ映像信号を形成してそのプログレッシブ映像信号を２回連続的に出力し、次の２フィールド分で１フレーム分の前記プログレッシブ映像信号を形成してそのプログレッシブ映像信号を２回連続的に出力し、残りの１フィールドを無視することを繰り返すことを特徴とする請求項２記載の映像信号変換装置。
【請求項４】
前記フレームレート変換手段は、前記フィルムソース判別手段による判別結果がフィルムソースを示すとき前記入力映像信号の垂直同期周波数が５０Ｈｚである前記プログレッシブ映像信号を（２５×Ｎ）Ｈｚ（Ｎは正の整数）のフレームレートを有する映像信号に変換し、前記フィルムソース判別手段による判別結果がフィルムソースを示すとき前記入力映像信号の垂直同期周波数が６０Ｈｚである前記プログレッシブ映像信号を（２４×Ｎ）Ｈｚ（Ｎは正の整数）Ｈｚのフレームレートを有する映像信号に変換することを特徴とする請求項１記載の映像信号変換装置。
【請求項５】
前記フレームレート変換手段は、前記入力映像信号の垂直同期周波数がフィルムソースに基づく（２５×Ｍ）Ｈｚ（Ｍは正の整数）であるとき、（２５×Ｎ）Ｈｚ（Ｎは正の整数、Ｍ≦Ｎ）のフレームレートを有する映像信号に変換することを特徴とする請求項１記載の映像信号変換装置。
【請求項６】
前記フレームレート変換手段は、前記入力映像信号の垂直同期周波数がフィルムソースに基づく（２４×Ｍ）Ｈｚ（Ｍは正の整数）であるとき、（２４×Ｎ）Ｈｚ（Ｎは正の整数、Ｍ≦Ｎ）のフレームレートを有する映像信号に変換することを特徴とする請求項１記載の映像信号変換装置。
【請求項７】
前記フレームレート変換手段は、前記フィルムソース判別手段による判別結果がフィルムソースを示すとき前記入力映像信号の垂直同期周波数が５０Ｈｚである前記プログレッシブ映像信号を（２５×Ｎ）Ｈｚ（Ｎは正の整数）のフレームレートを有する映像信号に変換することを特徴とする請求項１記載の映像信号変換装置。
【請求項８】
前記フレームレート変換手段は、前記フィルムソース判別手段による判別結果がフィルムソースを示すとき前記入力映像信号の垂直同期周波数が６０Ｈｚである前記プログレッシブ映像信号を（２４×Ｎ）Ｈｚ（Ｎは正の整数）のフレームレートを有する映像信号に変換することを特徴とする請求項１記載の映像信号変換装置。
【発明の詳細な説明】
【０００１】
【発明が属する技術分野】
本発明は、入力映像信号を高画質で表示装置に表示できるように変換する映像信号変換装置に関する。
【０００２】
【従来の技術】
ＮＴＳＣ方式等の標準テレビジョン方式の映像信号の中には、映画フイルムに基づいたフィルムソースの映像信号が含まれることが多々ある。映画フィルムは、毎秒２４コマ（フレーム）からなり、一方、標準テレビジョン方式の映像信号は毎秒３０フレームからなり、１フレームが２フィールドで構成される飛び越し走査（インターレース）の映像信号である。毎秒のフレーム数が異なるので、映画フィルムの各フレームを２−３プルダウン方式によりテレシネ変換して標準テレビジョン方式の映像信号を得ることが通常行われる。
【０００３】
２−３プルダウン方式では、映画フィルムの第１コマから映像信号の第１フレームの第１及び第２フィールド、第２コマから映像信号の第２フレームの第１及び第２フィールド並びに第３フレームの第１フィールド、第３コマから映像信号の第３フレームの第２フィールド及び第４フレームの第１フィールドが作成される。以降のコマについて同様の変換によって連続したフィルムの各コマから、２フィールド分、３フィールド分、２フィールド分、３フィールド分、……のように映像信号を作成することが行われる。
【０００４】
このようにして映画フィルムの２フレームが標準テレビジョン方式の映像信号の５フレームに対応し、映画フィルムのコマに対応して２フィールドの映像信号と３フィールドの映像信号とが交互に繰り返す映像信号に変換される。
【０００５】
【発明が解決しようとする課題】
ところで、このようにテレシネ変換された飛び越し走査の映像信号による映像をＰＤＰ等の表示装置で表示させる場合には、映像信号の連続するフレーム中の例えば、上述の第３フレームは映画フィルムの第２コマ及び第３コマの画像の組み合わせたものであるので、元の映画フィルムに比べて画質が劣るという問題点があった。それに対処するために、入力映像信号がフィルムソースの映像信号であるか、或いはフィルムソースの映像信号ではない、いわゆるビデオソースの映像信号であるかを判別してフィルムソースの映像信号に対しては画質調整の処理を行う必要があった。
【０００６】
しかしながら、入力映像信号の信号供給源の違いにより、その入力映像信号がフィルムソースに基づいた映像信号であるか否かの判別が安定に動作しない場合があり、良好な画質を得ることができないことがあるという問題点があった。
そこで、本発明が解決しようとする課題には、上記の問題点が一例として挙げられ、フィルムソース及びビデオソースの双方の映像信号に対して表示品質の向上を図ることができる映像信号変換装置を提供することが本発明の目的である。
【０００７】
【課題を解決するための手段】
本願請求項１に係る発明の映像信号変換装置は、入力映像信号を所定のフレームレートのプログレッシブ映像信号に変換する映像信号変換装置であって、前記入力映像信号がフィルムに基づいたフィルムソースの映像信号であるか否かを判別するフィルムソース判別手段と、前記入力映像信号がインターレース映像信号である場合には前記入力映像信号を前記フィルムソース判別手段による判別結果に応じた変換方法にて前記プログレッシブ映像信号に変換して出力し、前記入力映像信号がインターレース映像信号ではない場合には前記入力映像信号をそのまま出力するインターレース／プログレッシブ変換手段と、前記インターレース／プログレッシブ変換手段の出力映像信号を前記フィルムソース判別手段による判別結果に応じて高フレームレートの映像信号に変換するフレームレート変換手段と、前記入力映像信号の種類及び信号供給源を判別する入力信号判別手段と、複数の信号供給源毎の映像信号の種類各々の動作モードを設定する動作モード設定手段と、前記入力信号判別手段によって判別された前記入力映像信号の種類及び信号供給源に対応した動作モードを前記動作モード設定手段から得て、その得た動作モードに応じて前記フィルムソース判別手段、前記インターレース／プログレッシブ変換手段及び前記フレームレート変換手段のうちの少なくとも１の動作を制御する制御手段と、を備えたことを特徴としている。
【０００８】
【発明の実施の形態】
以下、本発明の実施例を図面を参照しつつ詳細に説明する。
図１は本発明の映像信号変換装置を示している。映像信号変換装置は、入力信号選択回路１、信号種類判別器２、設定データメモリ３、コントローラ４、プルダウン検出器５、Ｉ／Ｐ（インターレース／プログレッシブ）変換器６、切替スイッチ７、画質調整回路８、フレームレート変換器９及びＰＤＰ駆動用シーケンス生成回路１０を備えている。また、映像信号変換装置は映像信号入力端子ＩＮＶ１〜ＩＮＶ４、外部フラグ入力端子ＩＮＦ１〜ＩＮＦ４及び切替スイッチＳＷ１，ＳＷ２を有している。映像信号入力端子ＩＮＶ１〜ＩＮＶ４各々には、信号供給源が接続され、その信号供給源から映像信号が供給される。本実施例では、信号供給源としては、地上波放送用の受信チューナ１１、ビデオテープレコーダ（ＶＴＲ）１２、ＤＶＤプレーヤ１３及びディジタル放送用の受信チューナ１４が用いられている。信号供給源１１〜１４の映像信号出力端子が映像信号入力端子ＩＮＶ１〜ＩＮＶ４にその順に接続されている。この実施例では信号供給源１１〜１４のうちのディジタル放送用の受信チューナ１４にはフラグ出力端子が備えられ、そのフラグ出力端子は外部フラグ入力端子ＩＮＦ４に接続されている。フラグ出力端子がない信号供給源に対応した外部フラグ入力端子、例えば、ＩＮＦ１〜ＩＮＦ３は開放されている。受信チューナ１４は出力中の映像信号がフィルムに基づいたフィルムソースの映像信号であるか否かを示すＭｐｅｇフラグをフラグ出力端子から出力する。
【０００９】
信号供給源１１〜１４各々の出力映像信号は全てディジタル信号である。地上波放送用の受信チューナ１１及びビデオテープレコーダ１２各々はＮＴＳＣ方式の映像信号を出力する。ＤＶＤプレーヤ１３は走査線４８０本のインターレース映像信号又はプログレッシブ映像信号を出力する。ディジタル放送用の受信チューナ１４は走査線４８０本のインターレース映像信号、走査線４８０本のプログレッシブ映像信号、走査線７２０本のプログレッシブ映像信号及び走査線１０８０本のインターレース映像信号のいずれか１の映像信号を出力する。
【００１０】
切替スイッチＳＷ１，ＳＷ２各々は４つの固定接点を有し、そのいずれか１が入力信号選択回路１からの選択指令信号に応じて可動接点によって選択的に接続されるスイッチである。映像信号入力端子ＩＮＶ１〜ＩＮＶ４は切替スイッチＳＷ１の固定接点に接続されている。外部フラグ入力端子ＩＮＦ１〜ＩＮＦ４は切替スイッチＳＷ２の各固定接点に接続されている。切替スイッチＳＷ１は選択接続した固定端子に供給される映像信号を信号種類判別器２、プルダウン検出器５及びＩ／Ｐ変換器６に中継供給する。切替スイッチＳＷ２は選択接続した固定端子に供給されるフラグをプルダウン検出器５に中継供給する。
【００１１】
入力信号選択回路１は図示しない操作部を有し、ユーザの操作部への操作に応じて切替スイッチＳＷ１，ＳＷ２の選択位置を切り替えるための選択指令信号を切替スイッチＳＷ１，ＳＷ２に対して出力する。また、入力信号選択回路１は現在選択中の入力端子を示す信号供給源データ（「地上波放送」、「ＶＴＲ」、「ＤＶＤ」及び「ディジタル放送」のうちのいずれか１）を設定データメモリ３及びコントローラ４に供給する。なお、入力端子ＩＮＶ１〜ＩＮＶ４と信号供給源１１〜１４との対応関係は固定しているので、切替スイッチＳＷ１の選択位置に対応して現在選択中の入力端子を示す信号供給源データは得られる。
【００１２】
信号種類判別器２は、切替スイッチＳＷ１によって選択中継された映像信号の種類を判別する。映像信号の種類は、ＮＴＳＣ方式の映像信号等の標準映像信号（ＣＶＢＳ）と、それ以外の映像信号とに分けられ、更に、それ以外の映像信号は走査線数とインターレース／ノンインターレースとによって分けられる。信号種類判別器２によって判別された結果を示す信号種類データは設定データメモリ及びコントローラ４に供給される。入力信号選択回路１と信号種類判別器２とが入力信号判別手段を構成する。
【００１３】
設定データメモリ３は動作モード設定手段である。設定データメモリ３には、複数の信号供給源毎の映像信号の種類各々における動作モードを示す設定データが予め書き込まれている。設定データはコントローラ５によるプルダウン検出器５、Ｉ／Ｐ変換器６、切替スイッチ７、画質調整回路８、フレームレート変換器９及びＰＤＰ駆動用シーケンス生成回路１０各々の制御状態を決定するものである。設定データメモリ３においては、入力信号選択回路１からの信号供給源データと信号種類判別器２からの信号種類データとに応じて特定される記憶位置から設定データがコントローラ４によって読み出されるようになっている。設定データは「ｏｎ」、「ｏｆｆ」及び「ａｄｖａｎｃｅｄ」のいずれかである。なお、コントローラ４が、入力信号選択回路１からの信号供給源データと信号種類判別器２からの信号種類データとに応じて設定データメモリ３の記憶位置を指定し、その記憶位置から設定データを読み出しても良い。
【００１４】
コントローラ４は、制御手段であり、設定データメモリ３から供給された設定データに基づいてプルダウン検出器５、Ｉ／Ｐ変換器６、切替スイッチ７、画質調整回路８、フレームレート変換器９及びＰＤＰ駆動用シーケンス生成回路１０各々の動作を制御するための各種の指令を発生する。
プルダウン検出器５は、フィルムソース判別手段であり、コントローラ４から検出指令が生成されたときに、切替スイッチＳＷ１によって選択中継された映像信号が２−２又は２−３プルダウン方式により変換されたフィルムソースの映像信号であるか否かを検出し、その検出結果は信号としてＩ／Ｐ変換器６に供給される。また、プルダウン検出器５は、切替スイッチＳＷ２を介してフラグが供給されているときには、そのフラグの内容、すなわちフィルムソースの映像信号であるか否かに応じた信号をＩ／Ｐ変換器６に供給する。
【００１５】
Ｉ／Ｐ変換器６は、切替スイッチ７と共にインターレース／プログレッシブ変換手段を構成し、コントローラ４からＩ／Ｐ変換指令が生成されかつプルダウン検出器５からの信号がフィルムソースの映像信号を示すときには、切替スイッチＳＷ１によって選択中継された映像信号をフィールド間補間処理によってプログレッシブ映像信号に変換する。また、コントローラ４からＩ／Ｐ変換指令が生成されているが、プルダウン検出器５からの信号がフィルムソースの映像信号の検出を示していないときには、切替スイッチＳＷ１によって選択中継された映像信号を動き適応型補間処理によってプログレッシブ映像信号に変換する。
【００１６】
切替スイッチ７は、切替スイッチＳＷ１によって選択中継された映像信号とＩ／Ｐ変換器６から出力される映像信号とのいずれか一方をコントローラ４から選択指令に応じて画質調整回路８に出力する。
画質調整回路８は、コントローラ４から画質調整指令に応じて切替スイッチ７から中継された映像信号に対して画質のシャープ処理と２次元ノイズリダクション処理とを行う。各処理は弱、中及び強のレベルのいずれか１のレベルで行われる。
【００１７】
フレームレート変換器９は、画質調整回路８から出力された映像信号をコントローラ４からフレームレート変換指令に応じて６０Ｈｚから７２Ｈｚに変換する。また、フレームレート変換器９は、コントローラ４から無変換指令が供給された場合には画質調整回路８から出力された映像信号をそのまま出力する。
ＰＤＰ駆動用シーケンス生成回路１０は、フレームレート変換器９の出力映像信号に応じてＰＤＰ表示パネル２１を駆動する。
【００１８】
かかる構成の映像信号変換装置においては、図２に示すように、信号供給源１１〜１４の信号種類に対して設定データｏｎ、ｏｆｆ及びａｄｖａｎｃｅｄ毎にプルダウン検出器５のプルダウン検出動作の有無、Ｉ／Ｐ変換器６の変換動作の内容、画質調整回路８のシャープ（ｓｈａｒｐ）及び２次元ノイズリダクション（２ＤＮＲ）各々の調整程度、及びフレームレート変換器９の変換動作の有無、並びにＰＤＰ駆動用シーケンス生成回路１０の駆動シーケンスの周波数が定められている。コントローラ５はこの図２の対応関係を制御情報として内部に備えており、その対応関係の制御情報と設定データメモリ３の設定データに応じて定まる制御パターンにて上記した指令を発生する。
【００１９】
また、図２に示すように、プルダウン検出器５のプルダウン検出動作は、プルダウン検出器５に外部フラグが供給された場合には行われず、その外部フラグの内容に応じてプルダウン方式により変換された映像信号であるか否かが決定される。
設定データメモリ３には、設定データが例えば、図３に示すように、記憶される。この設定データは工場出荷時の初期値のままでも良いが、ユーザの操作によって任意に設定可能にしても良い。地上波放送では弱電界やゴーストによる受信品質の悪化があり、またディジタル放送には時々、画質の悪い地上波放送のアップコンバートがあるので、ブルダウン検出器５が安定に動作しない場合を考慮して図３の設定データ例では地上波放送及びディジタル放送についての設定データは「ｏｆｆ」に設定されている。また、大半が映画を示す映像信号が記録されたＤＶＤについての設定データは「ａｄｖａｎｃｅｄ」に設定されている。ＶＴＲについては垂直同期信号のジッタを考慮して７２Ｈｚにフレームレート変換しないように「ｏｆｆ」に設定されている。
【００２０】
ユーザの操作によって地上波放送受信モードが選択された場合には、入力信号選択回路１からの信号供給源データ「地上波放送」に応じて切替スイッチＳＷ１，ＳＷ２の選択位置が映像信号入力端子ＩＮＶ１側及び外部フラグ入力端子ＩＮＦ１側に各々なる。切替スイッチＳＷ１によって中継された地上波放送用の受信チューナ１１の出力映像信号が、信号種類判別器２によってＮＴＳＣ方式の映像信号と判別されたとする。その判別結果の信号種類データ「ＣＶＢＳ」は設定データメモリ３及びコントローラ５に供給される。ここで、設定データメモリ３ではその信号種類データ「ＣＶＢＳ」と入力信号選択回路１からの信号供給源データ「地上波放送」とに応じて指定された記憶位置の設定データが「ｏｎ」であるならば、設定データ「ｏｎ」がコントローラ５によって読み出される。
【００２１】
よって、コントローラ５にはこの設定データ「ｏｎ」の他に、信号供給源データ「地上波放送」と信号種類データ「ＣＶＢＳ」とが供給される。コントローラ５は図２に示されたように、プルダウン検出器５にはプルダウン検出動作ありを指令し、Ｉ／Ｐ変換器６にはプルダウン検出器５によるプルダウン検出結果に応じた補間を指令し、切替スイッチ７にはＩ／Ｐ変換器６の出力の選択を指令し、画質調整回路８には、中レベルのシャープ処理と弱レベルの２次元ノイズリダクション処理とを指令し、フレームレート変換器９には変換なしを指令し、シーケンス生成回路１０には６０Ｈｚの駆動シーケンスを指令する。
【００２２】
これらの指令によって、切替スイッチＳＷ１によって選択中継された映像信号が、プルダウン検出結果がプルダウン方式の映像信号、すなわちフィルムソースの映像信号であることが検出された場合には、Ｉ／Ｐ変換器６においてフィールド間補間処理によってプログレッシブ映像信号に変換される。フィルムソースの映像信号ではないことが検出された場合には、Ｉ／Ｐ変換器６において動き適応型補間処理によってプログレッシブ映像信号に変換される。プログレッシブ映像信号に変換された後、その映像信号は切替スイッチ７を介して画質調整回路８に供給される。画質調整回路８では、映像信号に対して中レベルで画質のシャープ処理と弱レベルで２次元ノイズリダクション処理とが行われる。画質調整回路８で画質調整された映像信号は、フレームレート変換器９ではフレームレート変換されることなくそのままの垂直同期周波数６０ＨｚでＰＤＰ駆動用シーケンス生成回路１０に供給される。ＰＤＰ駆動用シーケンス生成回路９は垂直同期周波数６０Ｈｚの映像信号に応じて６０ＨｚシーケンスでＰＤＰ表示パネル２１を駆動する。
【００２３】
地上波放送受信モードにおいて、設定データメモリ３から設定データ「ｏｆｆ」がコントローラ５によって読み出されたならば、コントローラ５は図２に示されたように、プルダウン検出器５にはプルダウン検出動作なしを指令し、Ｉ／Ｐ変換器６には動き適応型補間処理を指令し、切替スイッチ７にはＩ／Ｐ変換器６の出力の選択を指令し、画質調整回路８には、強レベルのシャープ処理と中レベルの２次元ノイズリダクション処理とを指令し、フレームレート変換器９には変換なしを指令し、シーケンス生成回路１０には６０Ｈｚの駆動シーケンスを指令する。
【００２４】
これらの指令によって、切替スイッチＳＷ１によって選択中継された映像信号は、Ｉ／Ｐ変換器６において動き適応型補間処理によってプログレッシブ映像信号に変換された後、切替スイッチ７を介して画質調整回路８に供給される。画質調整回路８では、映像信号に対して強レベルで画質のシャープ処理と中レベルで２次元ノイズリダクション処理とが行われる。画質調整回路８で画質調整された映像信号は、フレームレート変換器９ではフレームレート変換されることなくそのままの垂直同期周波数６０ＨｚでＰＤＰ駆動用シーケンス生成回路１０に供給される。ＰＤＰ駆動用シーケンス生成回路９は垂直同期周波数６０Ｈｚの映像信号に応じて６０ＨｚシーケンスでＰＤＰ表示パネル２１を駆動する。
【００２５】
次に、ユーザの操作によってビデオテープレコーダ１２によるＶＴＲ再生モードが選択された場合には、入力信号選択回路１からの信号供給源データ「ＶＴＲ」に応じて切替スイッチＳＷ１，ＳＷ２の選択位置が映像信号入力端子ＩＮＶ２側及び外部フラグ入力端子ＩＮＦ２側に各々なる。切替スイッチＳＷ１によって中継されたビデオテープレコーダ１２の出力映像信号が、信号種類判別器２によってＮＴＳＣ方式の映像信号と判別されたとする。その判別結果の信号種類データ「ＣＶＢＳ」は設定データメモリ３及びコントローラ５に供給される。ここで、設定データメモリ３ではその信号種類データ「ＣＶＢＳ」と入力信号選択回路１からの信号供給源データ「ＶＴＲ」とに応じて指定された記憶位置の設定データが「ｏｎ」であるならば、設定データ「ｏｎ」がコントローラ５によって読み出される。一方、指定された記憶位置の設定データが「ｏｆｆ」であるならば、設定データ「ｏｆｆ」がコントローラ５によって読み出される。
【００２６】
よって、ＶＴＲ再生モードが選択された場合にコントローラ５から発せられる各指令は、地上波放送受信モードが選択された場合と同一であるので、プルダウン検出器５、Ｉ／Ｐ変換器６、切替スイッチ７、画質調整回路８、フレームレート変換器９及びＰＤＰ駆動用シーケンス生成回路１０各々の動作も同一である。次いで、ユーザの操作によってＤＶＤプレーヤ１３によるＤＶＤ再生モードが選択された場合には、入力信号選択回路１からの信号供給源データ「ＤＶＤ」に応じて切替スイッチＳＷ１，ＳＷ２の選択位置が映像信号入力端子ＩＮＶ３側及び外部フラグ入力端子ＩＮＦ３側に各々なる。切替スイッチＳＷ１によって中継されたＤＶＤプレーヤ１３の出力映像信号が、信号種類判別器２によって４８０ｉ（走査線４８０本のインターレース）方式の映像信号と判別されたとする。その判別結果の信号種類データ「４８０ｉ」は設定データメモリ３及びコントローラ５に供給される。ここで、設定データメモリ３ではその信号種類データ「４８０ｉ」と入力信号選択回路１からの信号供給源データ「ＤＶＤ」とに応じて指定された記憶位置の設定データが「ｏｆｆ」であるならば、設定データ「ｏｆｆ」がコントローラ５によって読み出される。
【００２７】
コントローラ５にはこの設定データ「ｏｆｆ」の他に、信号供給源データ「ＤＶＤ」と信号種類データ「４８０ｉ」とが供給される。コントローラ５は図２に示されたように、プルダウン検出器５にはプルダウン検出動作なしを指令し、Ｉ／Ｐ変換器６には動き適応型補間処理を指令し、切替スイッチ７にはＩ／Ｐ変換器６の出力の選択を指令し、画質調整回路８には、強レベルのシャープ処理と中レベルの２次元ノイズリダクション処理とを指令し、フレームレート変換器９には変換なしを指令し、シーケンス生成回路１０には６０Ｈｚの駆動シーケンスを指令する。
【００２８】
これらの指令によって、切替スイッチＳＷ１によって選択中継されたＤＶＤプレーヤ１３からの映像信号は、Ｉ／Ｐ変換器６において動き適応型補間処理によってプログレッシブ映像信号に変換された後、切替スイッチ７を介して画質調整回路８に供給される。画質調整回路８では、映像信号に対して強レベルで画質のシャープ処理と中レベルで２次元ノイズリダクション処理とが行われる。画質調整回路８で画質調整された映像信号は、フレームレート変換器９ではフレームレート変換されることなくそのままの垂直同期周波数６０ＨｚでＰＤＰ駆動用シーケンス生成回路１０に供給される。ＰＤＰ駆動用シーケンス生成回路９は垂直同期周波数６０Ｈｚの映像信号に応じて６０ＨｚシーケンスでＰＤＰ表示パネル２１を駆動する。
【００２９】
ＤＶＤ再生モードにおいて信号種類データ「４８０ｉ」のときに、設定データメモリ３から設定データ「ｏｎ」がコントローラ５によって読み出されたならば、コントローラ５は図２に示されたように、プルダウン検出器５にはプルダウン検出動作ありを指令し、Ｉ／Ｐ変換器６にはプルダウン検出器５によるプルダウン検出結果に応じた補間処理を指令し、切替スイッチ７にはＩ／Ｐ変換器６の出力の選択を指令し、画質調整回路８には、中レベルのシャープ処理と弱レベルの２次元ノイズリダクション処理とを指令し、フレームレート変換器９には変換なしを指令し、シーケンス生成回路１０には６０Ｈｚの駆動シーケンスを指令する。
【００３０】
これらの指令によって、切替スイッチＳＷ１によって選択中継されたＤＶＤプレーヤ１３からの映像信号が、プルダウン検出結果がプルダウン方式の映像信号、すなわちフィルムソースの映像信号であることが検出された場合には、Ｉ／Ｐ変換器６においてフィールド間補間処理によってプログレッシブ映像信号に変換される。フィルムソースの映像信号ではないことが検出された場合には、Ｉ／Ｐ変換器６において動き適応型補間処理によってプログレッシブ映像信号に変換される。プログレッシブ映像信号に変換された後、その映像信号は切替スイッチ７を介して画質調整回路８に供給される。画質調整回路８では、映像信号に対して中レベルで画質のシャープ処理と弱レベルで２次元ノイズリダクション処理とが行われる。画質調整回路８で画質調整された映像信号は、フレームレート変換器９ではフレームレート変換されることなくそのままの垂直同期周波数６０ＨｚでＰＤＰ駆動用シーケンス生成回路１０に供給される。ＰＤＰ駆動用シーケンス生成回路９は垂直同期周波数６０Ｈｚの映像信号に応じて６０ＨｚシーケンスでＰＤＰ表示パネル２１を駆動する。
【００３１】
ＤＶＤ再生モードにおいて、設定データメモリ３から設定データ「ａｄｖａｎｃｅｄ」がコントローラ５によって読み出されたならば、コントローラ５は図２に示されたように、プルダウン検出器５にはプルダウン検出動作ありを指令し、Ｉ／Ｐ変換器６にはプルダウン検出器５によるプルダウン検出結果に応じた補間処理を指令し、切替スイッチ７にはＩ／Ｐ変換器６の出力の選択を指令し、画質調整回路８には、中レベルのシャープ処理と弱レベルの２次元ノイズリダクション処理とを指令し、フレームレート変換器９には変換ありを指令し、シーケンス生成回路１０には７２Ｈｚの駆動シーケンスを指令する。
【００３２】
これらの指令によって、切替スイッチＳＷ１によって選択中継されたＤＶＤプレーヤ１３からの映像信号が、プルダウン検出結果がプルダウン方式の映像信号、すなわちフィルムソースの映像信号であることが検出された場合には、Ｉ／Ｐ変換器６においてフィールド間補間処理によってプログレッシブ映像信号に変換される。フィルムソースの映像信号ではないことが検出された場合には、Ｉ／Ｐ変換器６において動き適応型補間処理によってプログレッシブ映像信号に変換される。プログレッシブ映像信号に変換された後、その映像信号は切替スイッチ７を介して画質調整回路８に供給される。画質調整回路８では、映像信号に対して中レベルで画質のシャープ処理と弱レベルで２次元ノイズリダクション処理とが行われる。画質調整回路８で画質調整された映像信号は、垂直同期周波数が６０Ｈｚであるが、フレームレート変換器９では垂直同期周波数７２Ｈｚの映像信号に変換される。その変換後の映像信号がＰＤＰ駆動用シーケンス生成回路１０に供給される。ＰＤＰ駆動用シーケンス生成回路９は垂直同期周波数７２Ｈｚの映像信号に応じて７２ＨｚシーケンスでＰＤＰ表示パネル２１を駆動する。
【００３３】
切替スイッチＳＷ１によって中継されたＤＶＤプレーヤ１３の出力映像信号が、信号種類判別器２によって４８０ｐ（走査線４８０本のプログレッシブ）方式の映像信号と判別されたとする。その判別結果の信号種類データ「４８０ｐ」は設定データメモリ３及びコントローラ５に供給される。ここで、設定データメモリ３ではその信号種類データ「４８０ｐ」と入力信号選択回路１からの信号供給源データ「ＤＶＤ」とに応じて指定された記憶位置の設定データが「ｏｆｆ」であるならば、設定データ「ｏｆｆ」がコントローラ５によって読み出される。
【００３４】
ＤＶＤ再生モードにおいて信号種類データ「４８０ｐ」のときに、設定データメモリ３から設定データ「ｏｆｆ」がコントローラ５によって読み出されたならば、コントローラ５は図２に示されたように、プルダウン検出器５にはプルダウン検出動作なしを指令し、切替スイッチ７にはスルー選択を指令し、画質調整回路８には、強レベルのシャープ処理と中レベルの２次元ノイズリダクション処理とを指令し、フレームレート変換器９には変換なしを指令し、シーケンス生成回路１０には６０Ｈｚの駆動シーケンスを指令する。
【００３５】
これらの指令によって、切替スイッチＳＷ１によって中継されたＤＶＤプレーヤ１３の出力映像信号はプルダウン検出器５を介することなく切替スイッチ７を介して画質調整回路８に供給される。その他の動作はＤＶＤ再生モードにおいて信号種類データ「４８０ｉ」のときに、設定データメモリ３から設定データ「ｏｆｆ」が読み出された場合と同一である。
【００３６】
ＤＶＤ再生モードにおいて信号種類データ「４８０ｐ」のときに、設定データメモリ３から設定データ「ａｄｖａｎｃｅｄ」がコントローラ５によって読み出されたならば、コントローラ５は図２に示されたように、プルダウン検出器５にはプルダウン検出動作ありを指令し、切替スイッチ７にはスルー選択を指令し、画質調整回路８には、中レベルのシャープ処理と弱レベルの２次元ノイズリダクション処理とを指令し、フレームレート変換器９には変換ありを指令し、シーケンス生成回路１０には７２Ｈｚの駆動シーケンスを指令する。
【００３７】
これらの指令によって、切替スイッチＳＷ１によって中継されたＤＶＤプレーヤ１３の出力映像信号はプルダウン検出器５を介することなく切替スイッチ７を介して画質調整回路８に供給される。その他の動作はＤＶＤ再生モードにおいて信号種類データ「４８０ｉ」のときに、設定データメモリ３から設定データ「ａｄｖａｎｃｅｄ」が読み出された場合と同一である。
【００３８】
更に、ユーザの操作によってディジタル放送用の受信チューナ１４によるディジタル放送受信モードが選択された場合には、入力信号選択回路１からの信号供給源データ「ディジタル放送」に応じて切替スイッチＳＷ１，ＳＷ２の選択位置が映像信号入力端子ＩＮＶ４側及び外部フラグ入力端子ＩＮＦ４側に各々なる。切替スイッチＳＷ１によって中継された受信チューナ１４の出力映像信号が、信号種類判別器２によって判別される。また、切替スイッチＳＷ２によって受信チューナ１４の出力フラグがプルダウン検出器５に中継供給されるならば、プルダウン検出器５は、プルダウン検出動作を行うことなく、その出力フラグが示す内容、すなわち映像信号がフィルムソースの映像信号であるか否かに応じた信号をＩ／Ｐ変換器６に供給する。
【００３９】
ディジタル放送受信モードにおいて信号種類データ「４８０ｉ」、「４８０ｐ」、「７２０ｐ（走査線７２０本のプログレッシブ）」、又は「１０８０ｉ（走査線１０８０本のインターレース）」のときには、図２の対応関係に示した如く各動作が実行される。各動作は上記したＤＶＤ再生モード時の信号種類データ「４８０ｉ」又は「４８０ｐ」のときと同様であり、動作説明が重複するので、ここでの更なる動作説明は省略する。
【００４０】
図４はインターレース／プログレッシブ変換とフレームレート変換について示している。ＮＴＳＣ方式の映像信号の場合には、図４に示すように、垂直同期周波数ｆｖ＝６０Ｈｚで第１フィールドＶｉｄｅｏ  ｏｄｄと第２フィールドＶｉｄｅｏ  ｅｖｅｎとが繰り返す信号である。Ｉ／Ｐ変換器６は図示しない第１フレームメモリに２フィールド（第１フィールドＶｉｄｅｏ  ｏｄｄ及び第２フィールドＶｉｄｅｏ  ｅｖｅｎ）分、すなわち１フレーム分の映像信号を書き込む毎に垂直同期周波数ｆｖ＝６０Ｈｚで１フレーム分の映像信号を２度読み出す。これにより、走査線５２５本のプログレッシブ映像信号Ｖｉｄｅｏ  ｐｒｏｇに変換することができる。フレームレート変換器９は供給されたプログレッシブ映像信号を図示しない第２フレームメモリに書き込み、その第２フレームメモリに書き込んだプログレッシブ映像信号を垂直同期周波数ｆｖ＝６０Ｈｚで１フレーム分の映像信号Ｖｉｄｅｏ  ｐｒｏｇを読み出す。すなわち、書き込んだ映像信号Ｖｉｄｅｏ  ｐｒｏｇと同じ映像信号Ｖｉｄｅｏ  ｐｒｏｇを出力する。その映像信号はＰＤＰ駆動用シーケンス生成回路１０に供給される。ＰＤＰ駆動用シーケンス生成回路１０は垂直同期周波数ｆｖ＝６０Ｈｚの映像信号に応じて６０ＨｚシーケンスでＰＤＰ表示パネル２１を駆動する。
【００４１】
フィルムソースのＮＴＳＣ方式の映像信号の場合には、図４に示すように、フィールドＦｉｌｍ  Ａ  ｏｄｄ，Ｆｉｌｍ  Ａ  ｅｖｅｎ，Ｆｉｌｍ  Ｂ  ｏｄｄ，Ｆｉｌｍ  Ｂ  ｅｖｅｎ，Ｆｉｌｍ  Ｂ  ｏｄｄ，……の如く２−３プルダウン方式の映像信号となっている。Ｆｉｌｍ  Ａ  ｏｄｄはコマＡの第１フィールド、Ｆｉｌｍ  Ａ  ｅｖｅｎはコマＡの第２フィールドを表す。ＮＴＳＣ方式の映像信号の垂直同期周波数はｆｖ＝６０Ｈｚであるので、Ｉ／Ｐ変換器６は第１フレームメモリに２フィールド（第１フィールドＦｉｌｍ  Ａ  ｏｄｄ及び第２フィールドＦｉｌｍ  Ａ  ｅｖｅｎ）分の映像信号を書き込む毎に垂直同期周波数ｆｖ＝６０Ｈｚで１フレーム分の映像信号Ｆｉｌｍ  Ａ  ｐｒｏｇを２度読み出す。更に、第１フレームメモリに２フィールド（第１フィールドＦｉｌｍ  Ｂ  ｏｄｄ及び第２フィールドＦｉｌｍ  Ｂ  ｅｖｅｎ）分の映像信号を書き込む毎に垂直同期周波数ｆｖ＝６０Ｈｚで１フレーム分の映像信号Ｆｉｌｍ  Ｂ  ｐｒｏｇを３度読み出す。入力映像信号の連続する５フィールドの最後のフィールドＦｉｌｍ  Ｂ  ｏｄｄは無視される。これが繰り返されることにより、走査線５２５本のプログレッシブ映像信号に変換することができる。フレームレート変換器９は供給されたプログレッシブ映像信号を第２フレームメモリに書き込み、第２フレームメモリに書き込んだプログレッシブ映像信号を垂直同期周波数ｆｖ＝７２Ｈｚで１フレーム分の映像信号を読み出し、その映像信号をＰＤＰ駆動用シーケンス生成回路１０に供給する。また、その１フレーム分の映像信号の読み出しにおいては５フレーム毎に同一フレームを２度読み出すことが行われる。図４に示すように、フレームＦｉｌｍ  Ａ  ｐｒｏｇ，フレームＦｉｌｍ  Ｃ  ｐｒｏｇ，……が２度読み出されることにより、フレームレート変換されて得られる垂直同期周波数ｆｖ＝７２Ｈｚの映像信号は同一のフレームが３フレームに亘って続くことになる。ＰＤＰ駆動用シーケンス生成回路１０は垂直同期周波数ｆｖ＝７２Ｈｚの映像信号に応じて７２ＨｚシーケンスでＰＤＰ表示パネル２１を駆動する。
【００４２】
なお、上記した実施例においては、ＰＡＬ方式の映像信号が入力される場合については示していないが、ＰＡＬ方式の映像信号の垂直同期周波数は５０Ｈｚであるので、Ｉ／Ｐ変換器６は、映像信号の２フィールド分で１フレーム分のプログレッシブ映像信号を形成してそのプログレッシブ映像信号を２回連続的に出力することを繰り返し、フレームレート変換器９は、垂直同期周波数が５０Ｈｚであるプログレッシブ映像信号を７５Ｈｚのフレームレートを有する映像信号に変換する。
【００４３】
上記した実施例においては、垂直同期周波数が５０Ｈｚの映像信号（フィルムソースのＰＡＬ方式の映像信号）を７５Ｈｚのフレームレートの映像信号に変換し、また、垂直同期周波数が６０Ｈｚの映像信号（フィルムソースのＮＴＳＣ方式の映像信号）を７２Ｈｚのフレームレートの映像信号に変換する構成を示したが、これに限らず、垂直同期周波数が５０Ｈｚの映像信号を２５Ｈｚ、１００Ｈｚ等の（２５×Ｎ）Ｈｚ（Ｎは正の整数）のフレームレートを有する映像信号に変換に変換し、また、垂直同期周波数が６０Ｈｚの映像信号を２４Ｈｚ、４８Ｈｚ、９６Ｈｚ等の（２４×Ｎ）Ｈｚ（Ｎは正の整数）のフレームレートを有する映像信号に変換するようにしても良い。
【００４４】
また、垂直同期周波数が（２４×Ｍ）Ｈｚ（Ｍは正の整数）である映像信号（例えば、２４Ｈｚの映像信号）が入力される場合には、同様に（２４×Ｎ）Ｈｚ（Ｎは正の整数、Ｍ≦Ｎ）のフレームレートを有する映像信号（例えば、４８Ｈｚ、７２Ｈｚの映像信号）に変換し、垂直同期周波数が（２５×Ｍ）Ｈｚ（Ｍは正の整数）である映像信号（例えば、２５Ｈｚの映像信号）が入力される場合には、同様に（２５×Ｎ）Ｈｚ（Ｎは正の整数、Ｍ≦Ｎ）のフレームレートを有する映像信号（例えば、５０Ｈｚ、７５Ｈｚの映像信号）に変換するようにしても良い。
【００４５】
更に、上記した実施例においては、表示パネルとしてＰＤＰを用いた場合について示したが、これに限定されない。本発明は有機エレクトロルミネッセンス素子等の発光素子を用いた他のフラットパネルディスプレイにも適用することができる。
以上の如く、本発明によれば、入力映像信号の種類及び信号供給源に対応した動作モードに応じてフィルムソース判別手段、インターレース／プログレッシブ変換手段及びフレームレート変換手段のうちの少なくとも１の動作が制御される。よって、フィルムソース及びビデオソース双方の映像信号に対して適切な動作モードで変換動作を行うことができるので、表示品質の向上を図ることができる。
【図面の簡単な説明】
【図１】本発明による映像信号変換装置の構成を示すブロック図である。
【図２】信号供給源の各信号種類に対する設定データｏｎ、ｏｆｆ及びａｄｖａｎｃｅｄ毎の装置内各部の動作を示す図である。
【図３】設定データメモリに記憶された設定データ例を示す図である。
【図４】入力映像信号がＮＴＳＣ方式の映像信号の場合の図１の装置の各部の同期タイミング毎の動作状態を示す図である。
【符号の説明】
１  入力信号選択回路
２  信号種類判別器
３  設定データメモリ
４  コントローラ
５  プルダウン検出器
６  Ｉ／Ｐ変換器
８  画質調整回路
９  フレームレート変換器
１０  ＰＤＰ駆動用シーケンス生成回路
【図１】
2005051389.tif 000003
【図２】
2005051389.tif 000004
【図３】
2005051389.tif 000005
【図４】
2005051389.tif 000006